(57)【要約】【課題】従来の携帯電話機器では、使用者が、所望の第３者とのスケジュールデータを全て閲覧することを望む場合には、個々のスケジュールデータ毎に検索し、閲覧していたので、その操作が手間であるという問題があった。【解決手段】本発明の携帯電話機器では、スケジュールデータ内の個別情報データと携帯電話機の有する電話帳ファイルの個別情報データとをリンクつけている。そのことで、本発明の携帯電話機器では、使用者が選択したスケジュールデータとそのスケジュールデータに関連するスケジュールデータの一覧表示を実行する際に、共通の個別情報データを検索用データとして用いることで、関連するその他のスケジュールデータを一覧表示させることができる。その結果、使用者は、簡易な操作で、所望のスケジュールデータを一覧表示させ、閲覧することができる。【選択図】    図４
2005027063.tif 000002
【特許請求の範囲】
【請求項１】
複数の個別情報データを電話帳ファイルとして記憶する記憶手段と、
アプリケーションデータの表示中に、当該アプリケーションデータ内の個別情報データを認識するデータ認識手段と、
前記データ認識手段により認識された前記個別情報データを有するその他のアプリケーションデータを検索し、表示させるデータ検索表示手段と、を具備することを特徴とする携帯電話機器。
【請求項２】
所望のアプリケーションデータの表示を指示する指示手段と、
前記指示手段を介して表示されたアプリケーションデータの表示中に、前記データ認識手段により認識された個別情報データと一致する前記電話帳ファイル内の個別情報データを検索する電話帳ファイル検索手段と、を具備し、
前記データ検索表示手段は、前記電話帳ファイル検索手段により検索された前記電話帳ファイル内の個別情報データを有するその他のアプリケーションデータを検索し、一覧表示させることを特徴とする請求項１に記載の携帯電話機器。
【請求項３】
複数の個別情報データを一つのレコードとし、当該レコードを複数記憶することで電話帳ファイルを形成する記憶手段と、
アプリケーションデータの表示中に、当該アプリケーションデータ内の個別情報データを認識するデータ認識手段と、
前記レコード内に含まれる複数の個別情報データの中で少なくとも１つの個別情報データを有するその他のアプリケーションデータを検索し、表示させるデータ検索表示手段と、を具備することを特徴とする携帯電話機器。
【請求項４】
所望のアプリケーションデータの表示を指示する指示手段と、
前記指示手段を介して表示されたアプリケーションデータの表示中に、前記データ認識手段により認識された個別情報データと一致する個別情報データが含まれる前記電話帳ファイル内のレコードを検索する電話帳ファイル検索手段と、を具備し、
前記データ検索表示手段は、前記電話帳ファイル検索手段により検索された前記レコード内に含まれる複数の個別情報データの中で少なくとも１つの個別情報データを有するその他のアプリケーションデータを検索し、一覧表示させることを特徴とする請求項３に記載の携帯電話機器。
【請求項５】
前記アプリケーションデータとして、スケジュール機能のスケジュールデータ、電子メール機能の送信データ、電子メール機能の受信データ、電話機能の発信履歴データ、または電話機能の着信履歴データを含むことを特徴とする請求項１から請求項４のいずれかに記載の携帯電話機器。
【請求項６】
前記個別情報データとして、氏名データ、電話番号データ、またはメールアドレスデータを含むことを特徴とする請求項１から請求項５のいずれかに記載の携帯電話機器。
【発明の詳細な説明】
【０００１】
【発明の属する技術分野】
本発明は、電話帳機能を有し、所望の個人情報データと関連する個人情報データを一括して表示する機能を有する携帯電話機器に関するものである。
【０００２】
【従来の技術】
近年、携帯電話機器は小型化、高機能化が進んでいる。そして、携帯電話機器では、例えば、画面が大型化し、大量の文字情報や画像を表示出来るようになっている。
【０００３】
また、近年の携帯電話機器では、電子メール機能、スケジュール機能、カメラ機能等、種々のアプリケーション機能を有し、それに伴い、使用者及び第３者等のいろいろな個人情報データも携帯電話機器内に記憶させることができる。
【０００４】
従来のパーソナルコンピュータ等の家電製品に組み込まれたコンピュータを用いたスケジュール管理装置では、使用者の操作性を鑑み、スケジュールのグループ全体、または、その一部のスケジュール変更や削除等の用件が発生する定例的なスケジュールに柔軟に対応できる（例えば、特許文献１参照）。
【０００５】
【特許文献１】
特開２０００−９０１５６号公報（第１２−１６頁、第４−９図）
【０００６】
【発明が解決しようとする課題】
従来における携帯電話機器では、通話機能の他に、例えば、電子メール機能、スケジュール機能等を有しており、使用者自身の予定や個人データ等ばかりでなく、第３者の予定や個人データ等も携帯電話機器内に入力し、保存することができる。また、電話機能における発信履歴データ及び着信履歴データや電子メール機能における送信メールデータ及び受信メールデータ等も保存することができる。
【０００７】
そして、使用者は、保存されているスケジュールデータ、発信履歴データ、着信履歴データ、送信メールデータ、受信メールデータ等の個々のアプリケーションデータを表示部に表示させ、自由に閲覧することができる。
【０００８】
しかしながら、従来の携帯電話機器では、使用者は、既に、入力されている所望の相手先とのスケジュールデータを閲覧した場合、使用者が、１件ずつのスケジュールデータを確認しながら、関連するスケジュールデータを検索し、閲覧していた為、その操作が手間であり、また、検索時間が掛かるという問題があった。
【０００９】
更に、従来の携帯電話機器では、上述したように、使用者が、１件ずつのスケジュールデータを確認していたが、検索時間が掛かる一方で、所望のスケジュールデータの検索漏れが起こるという問題があった。
【００１０】
また、従来の携帯電話機器における電話機能、電子メール機能に関しても同様に、所望の相手先との過去における発信、着信履歴状況、送受信状況等を一括して確認した場合には、その操作が手間であり、また、検索時間が掛かるという問題があった。
【００１１】
本発明は、電話帳機能を有する携帯電話機器に関し、スケジュールデータ、電子メールデータ、電話履歴データを電話帳データにリンク付けることで、所望の相手先からの着信、発信履歴データ、電子メールの送受信データ、または、所望の相手先とのスケジュールデータに対し、関連するアプリケーションデータを一覧表示することを目的とする。
【００１２】
【課題を解決するための手段】
本発明は、上述した各事情に鑑みて成されたものであり、本発明の携帯電話機器では、複数の個別情報データを電話帳ファイルとして記憶する記憶手段と、アプリケーションデータの表示中に、当該アプリケーションデータ内の個別情報データを認識するデータ認識手段と、前記データ認識手段により認識された前記個別情報データを有するその他のアプリケーションデータを検索し、表示させるデータ検索表示手段と、を具備することを特徴とする。従って、本発明の携帯電話機器では、所望のアプリケーションデータ内に含まれる個別情報データと同じ個別情報データを有するその他のアプリケーションデータを検索し、表示することができる。
【００１３】
また、本発明の携帯電話機器では、所望のアプリケーションデータの表示を指示する指示手段と、前記指示手段を介して表示されたアプリケーションデータの表示中に、前記データ認識手段により認識された個別情報データと一致する前記電話帳ファイル内の個別情報データを検索する電話帳ファイル検索手段と、を具備し、前記データ検索表示手段は、前記電話帳ファイル検索手段により検索された前記電話帳ファイル内の個別情報データを有するその他のアプリケーションデータを検索し、一覧表示させることを特徴とする。従って、本発明の携帯電話機器では、使用者は、所望のアプリケーションデータを選択し、表示させた後、当該アプリケーションデータと関連するその他のアプリケーションデータを一覧表示させることができる。
【００１４】
また、本発明の携帯電話機器では、複数の個別情報データを一つのレコードとし、当該レコードを複数記憶することで電話帳ファイルを形成する記憶手段と、アプリケーションデータの表示中に、当該アプリケーションデータ内の個別情報データを認識するデータ認識手段と、前記レコード内に含まれる複数の個別情報データの中で少なくとも１つの個別情報データを有するその他のアプリケーションデータを検索し、表示させるデータ検索表示手段と、を具備することを特徴とする。従って、本発明の携帯電話機器では、表示されたアプリケーションデータ内に含まれる個別情報データを有する電話帳ファイルのレコードを検索し、当該レコード内に含まれる複数の個別情報データの中で少なくとも１つの個別情報データを有するその他のアプリケーションデータを検索し、表示させる。
【００１５】
また、本発明の携帯電話機器では、所望のアプリケーションデータの表示を指示する指示手段と、前記指示手段を介して表示されたアプリケーションデータの表示中に、前記データ認識手段により認識された個別情報データと一致する個別情報データが含まれる前記電話帳ファイル内のレコードを検索する電話帳ファイル検索手段と、を具備し、前記データ検索表示手段は、前記電話帳ファイル検索手段により検索された前記レコード内に含まれる複数の個別情報データの中で少なくとも１つの個別情報データを有するその他のアプリケーションデータを検索し、一覧表示させることを特徴とする。従って、本発明の携帯電話機器では、使用者は、所望のアプリケーションデータを選択し、表示させた後、当該アプリケーションデータと関連するその他のアプリケーションデータを一覧表示させることができる。
【００１６】
また、本発明の携帯電話機器では、前記アプリケーションデータとして、スケジュール機能のスケジュールデータ、電子メール機能の送信データ、電子メール機能の受信データ、電話機能の発信履歴データ、または電話機能の着信履歴データを含むことを特徴とする。従って、本発明の携帯電話機器では、スケジュールデータ、送信及び受信データ、発信及び着信履歴データに対して、表示規制を行うことができる。
【００１７】
また、本発明の携帯電話機器では、前記個別情報データとして、氏名データ、電話番号データ、またはメールアドレスデータを含むことを特徴とする。従って、本発明の携帯電話機器では、氏名データ、電話番号データ、またはメールアドレスデータを検索用データとして用いることができる。
【００１８】
【発明の実施の形態】
以下に、本発明における一実施の形態について、図１〜図７を参照にして詳細に説明する。本発明は、任意の携帯機器に適用できるが、以下では、好適な実施の形態として、折り畳み可能な携帯電話機１について説明する。尚、以下では折り畳み可能な携帯電話機が示されているが、この形態に限定されるものではなく、例えば、ストレート式の携帯電話機の場合でも良い。また、本実施の形態は、例えば、電話帳機能を備える携帯型情報端末機を用いても実現することができる。
【００１９】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。尚、図１の概観図では、カメラ機能を有する形態が示されているが、特に、カメラ機能の有無に関し限定する必要はなく、図２では、カメラ部の説明を省略する。
【００２０】
図１（Ａ）及び（Ｂ）に示す如く、例えば、スピーカー２は携帯電話機１の蓋部内側の上方中央に、マイク３は本体部内側の下方中央にそれぞれ配置されている。また、キー操作部１５は、撮影を行うためのシャッターキー１５１、カメラ機能を起動させるカメラキー１５２、電源投入するための電源キー１５３、メール機能を起動させるメールキー１５４、十字キー１５５、数字入力及び文字入力を行うテンキー１５６等から構成されている。
【００２１】
そして、表示部１４は、スピーカー２が配置されている蓋部内側に四角形状で配置されており、第２表示部４は四角い形状で蓋部外側の中央付近に配置されている。更に、撮像部５は、蓋部外側のヒンジ近くの中央付近に配置され、閉じた状態でも第２表示部４で被写体を確認しながら撮影ができる。また、背面キー６は第２表示部４の下方に配され、閉じた状態でシャッターキーとして使用され、使用者が自らを撮影するのに適している。一方、開いた状態で撮影する場合は、表示部１４あるいは第２表示部４で被写体を確認しながら、キー操作部１５のシャッターキー１５１を押下することで撮影することができる。
【００２２】
図２に示す如く、本実施の形態の携帯電話機１は、主に、制御部１１、メモリ１２、表示ドライバ部１３、表示部１４、バックライト１６、キー操作部１５、アンテナ１７、無線部１８、通信制御部１９を備えている。尚、上述したように、本実施の形態では、カメラ機能を構成する撮像部、画像処理部及びそれに伴う画像圧縮処理部、画像伸張処理部等の説明は省略する。
【００２３】
制御部１１は、携帯電話機１を構成する各部位の動作を制御し、例えば、メモリ１２、表示ドライバ部１３、バックライト１６、通信制御部１９等を制御する。
【００２４】
メモリ１２は、読み出し及び書き込み可能なＲＡＭ（Ｒａｎｄａｍ  Ａｃｃｅｓｓ  Ｍｅｍｏｒｙ）であり、例えば、電話帳ファイル、スケジュールファイル等が保存されている。そして、それぞれのファイルには、電話帳検索機能における氏名、電話番号、メールアドレス等の個人情報データ、スケジュール機能における予定、相手先氏名等のスケジュール情報データが保存されている。また、アンテナ１７等を介して受信した各種受信データ、例えば、画像データ、音楽データ、文字データ等も保存する。一方、図２には示していないが、携帯電話機１には、読み出し専用であるＲＯＭ（Ｒｅａｄ  Ｏｎｌｙ  Ｍｅｍｏｒｙ）から成るメモリもあり、出荷時に、予め、設定されている画像データ、音楽データも保存されている。
【００２５】
制御部１１は、表示ドライバ部１３に制御信号を送信するとともに、メモリ１２に記憶されている文字データ、画像データを、表示ドライバ部１３に送る。
【００２６】
表示ドライバ部１３は、表示部１４に表示しようとする文字データ、画像データに従って、表示部１４の各画素電極に対して駆動電圧を印加する。表示部１４は、液晶ディスプレイおよびＥＬ（Ｅｌｅｃｔｒｏ  Ｌｕｍｉｎｅｓｃｅｎｓｅ）ディスプレイなどで実現され、表示ドライバ部１３を介して送られてくる画像データに基づく画像を表示する。
【００２７】
キー操作部１５は、上述したように、数字および文字を入力するためのテンキー１５６などから構成される。
【００２８】
バックライト１６は、発光素子である発光ダイオードなどから構成され、表示部１４を背面より照明する。バックライト１６の点灯、消灯の制御および輝度調整などの制御は、制御部１１によって行われる。尚、バックライト１６は、使用者によって消灯するための所定の操作が行われるまで点灯する構成としてもよいし、点灯してから所定時間が経過すると消灯する構成としてもよい。
【００２９】
アンテナ１７は、無線電波を介して基地局と無線通信を行うときに、音声データ、文字データおよび画像データなどを送受信する。無線部１８は、所定の通信プロトコルに基づいて、受信時は、基地局からアンテナ１７を介して受信したデータを復調し、送信時は、通信制御部１９から送られてくる文字データおよび画像データなどを変調して増幅し、アンテナ１７を介して基地局に送信する。通信制御部１９は、受信データの中で無線部１８が復調した画像データを、画像切換制御部、画像圧縮部を介してメモリ１２に記憶させる。また、通信制御部１９は、受信データの中で文字データ等を制御部１１の指示に基づき、メモリ１２へと送る。
【００３０】
また、本実施の形態における制御部１１内のデータ認識手段では、メモリ１２を制御し、例えば、スケジュール機能の場合には、使用者が選択したスケジュールデータ内の所望の入力欄に入力された個人情報データを認識する。このとき、本実施の形態では、例えば、氏名データ、電話番号データ、メールアドレスデータが、スケジュールデータの所望の入力欄に入力されている。
【００３１】
一方、制御部１１内のデータ認識手段では、電子メール機能の場合には、例えば、使用者が選択し、表示部１４に表示されている送信メールの送信先のメールアドレスデータ、または、受信メールの送信元のメールアドレスデータを認識する。また、データ認識手段では、電話機能の場合には、例えば、使用者が選択し、表示部１４に表示されている発信履歴データの発信先の電話番号データ、または、着信履歴データの発信元の電話番号データを認識する。
【００３２】
尚、本実施の形態では、データ認識手段が認識する個人情報データとして、氏名データ、電話番号データ、メールアドレスデータを用いる場合に限定する必要はない。例えば、画像データ、電話帳ファイルにおける登録番号データ等をデータ認識手段の認識する個人情報データとして用いることも可能である。
【００３３】
また、本実施の形態における制御部１１内の電話帳ファイル検索手段では、上述したデータ認識手段により、認識した個人情報データを検索用データとして用いる。具体的には、電話帳ファイル検索手段では、メモリ１２を制御し、例えば、スケジュール機能の場合には、電話帳ファイル内にデータ認識手段が認識した個人情報データと該当する個人情報データを有するか、否かを検索する。このとき、本実施の形態では、例えば、氏名データ、電話番号データ、メールアドレスデータが、スケジュールデータの所望の入力欄に入力されており、これらの入力データに基づき電話帳ファイル内の検索を行う。
【００３４】
一方、制御部１１内の電話帳ファイル検索手段では、電子メール機能の場合には、データ認識手段が認識した、例えば、送信先または送信元のメールアドレスデータに基づき電話帳ファイル内の検索を行う。また、電話帳ファイル検索手段では、電話機能の場合には、データ認識手段が認識した、例えば、発信先または発信元の電話番号データに基づき電話帳ファイル内の検索を行う。
【００３５】
尚、本実施の形態では、電話帳ファイル検索手段の用いる検索用データとして、氏名データ、電話番号データ、メールアドレスデータを用いる場合に限定する必要はない。例えば、画像データ、電話帳ファイルにおける登録番号データ等を電話帳ファイル検索手段の用いる検索用データとして用いることも可能である。
【００３６】
また、制御部１１内のデータ検索表示手段では、メモリ１２を制御し、例えば、スケジュール機能の場合には、スケジュールファイル内の全てのスケジュールデータに関し、その所望の入力欄に入力された個人情報データを検索する。そして、データ検索表示手段では、上述した電話帳ファイル検索手段により該当した電話帳ファイルの個人情報データと共通個人情報データを有する、全てのスケジュールデータを判別する。
【００３７】
尚、制御部１１内のデータ検索表示手段では、検索用の共通個人情報データとして、氏名データ、電話番号データ、メールアドレスデータを用いる。そして、本実施の形態では、例えば、検索時の優先順位として列記したデータの順序により、スケジュールファイル内の全てのスケジュールデータの所望の入力欄を検索する。
【００３８】
その後、データ検索表示手段では、共通個人情報データを有するスケジュールデータに対し、一覧表示を実行する。つまり、データ検索表示手段では、電話帳ファイル内の個人情報データと共通個人情報データを有するスケジュールデータのみを選択し、表示部１４に一覧表示する処理を実行する。
【００３９】
一方、制御部１１内のデータ検索表示手段では、電子メール機能の場合には、例えば、上述した電話帳ファイル検索手段により該当した電話帳ファイルの個人情報データ内のメールアドレスデータと共通メールアドレスデータを有する送信または受信メールデータを判別する。その後、データ検索表示手段では、共通メールアドレスデータを有する送信及び受信メールデータを一覧表示させる。また、データ検索表示手段では、電話機能の場合には、例えば、上述した電話帳ファイル検索手段により該当した電話帳ファイルの個人情報データ内の電話番号データと共通電話番号データを有する発信または着信履歴データを判別する。その後、データ検索表示手段では、共通電話番号データを有する発信及び着信履歴データを一覧表示させる。
【００４０】
尚、本実施の形態では、データ検索表示手段の検索用データとして、氏名データ、電話番号データ、メールアドレスデータを用いる場合に限定する必要はない。例えば、画像データ、電話帳ファイルにおける登録番号データ等をデータ検索表示手段の検索用データとして用いることも可能である。
【００４１】
次に、図３は本発明の携帯電話機のメモリに保存されている電話帳ファイルの構成を示す図である。
【００４２】
図示の如く、電話帳ファイルはメモリ１２に保存されており、そのファイル内には相手先を識別する複数の識別情報データを記憶している。
【００４３】
例えば、各行Ｚ１、Ｚ２、Ｚ３…はそれぞれ異なる人名に関する記憶領域となっており、この各行毎に各識別情報データは、レコード単位で記憶されている。そして、各レコードは、登録番号データ２１、電話番号データ２２、電子メールのメールアドレスデータ２３、画像番号データ２４、氏名データ２５及びその他の情報データの各データフィールド（以下、登録番号フィールド、電話番号フィールド、メールアドレスフィールド、画像番号フィールド、氏名フィールド及びその他の情報フィールドと呼ぶ。）から構成されている。
【００４４】
次に、図４は本発明の携帯電話機のスケジュールデータ閲覧画面における所望のスケジュールデータと関連するスケジュールデータとの一覧表示を行う動作を説明するためのフローチャートであり、図５は同携帯電話機において、スケジュールデータが表示される表示画面を説明するための図である。
【００４５】
図４に示す如く、本実施の形態では、使用者が、携帯電話機１のスケジュールデータ閲覧画面を用いて所望のスケジュールデータを選択し、表示部に表示させる場合には、使用者はキー操作部１５を操作しスケジュールデータ閲覧画面の表示を指示すると（ステップＳ１）、制御部１１は表示ドライバ部１３を制御し、表示部１４に登録スケジュールデータの一覧表示画面を表示させる。そして、使用者が表示画面に従い、キー操作部１５の、例えば、十字キー１５５を操作し、画面上で所望のスケジュールデータを選択し、決定キーを押下すると、制御部１１は表示ドライバ部１３を制御し、表示部１４に選択されたスケジュールデータを表示させる（ステップＳ２）。
【００４６】
次に、使用者が、表示部１４に表示されたスケジュールデータを確認し、そのスケジュールデータと関連するその他のスケジュールデータとを共に一覧表示させる場合には、使用者はキー操作部１５を操作し、選択したスケジュールデータと関連するスケジュールデータの一覧表示を指示すると（ステップＳ３のＹＥＳ）、制御部１１のデータ認識手段は、スケジュールデータの所定欄に入力された個人情報データを認識する（ステップＳ４）。そして、制御部１１の電話帳ファイル検索手段は、メモリ１２を制御し、認識した個人情報データに基づき、電話帳ファイル内の個人情報データと照合し、検索をする（ステップＳ５）。このとき、図２を用いて上述したように、個人情報データとしては、例えば、氏名データ、電話番号データ、メールアドレスデータが用いられる。
【００４７】
尚、使用者はキー操作部１５を操作し、選択したスケジュールデータと関連するスケジュールデータとの一覧表示を指示しない場合には（ステップＳ３のＮＯ）、ステップＳ２へと戻り、使用者は、その他のスケジュールデータを選択し、表示部１４に表示させることができる。
【００４８】
次に、制御部１１の電話帳ファイル検索手段が、電話帳ファイル内に該当する個人情報データを検出した場合には（ステップＳ５のＹＥＳ）、制御部１１のデータ検索表示手段では、電話帳ファイル内の個人情報データに基づき、スケジュールファイルの全てのスケジュールデータを検索する（ステップＳ６）。このとき、図２を用いて上述したように、制御部１１のデータ検索表示手段では、例えば、氏名データ、電話番号データ、メールアドレスデータ順序で、スケジュールデータの所定欄の入力データとの照合を行う。
【００４９】
次に、制御部１１のデータ検索表示手段が、スケジュールファイルのスケジュールデータの中から、該当するスケジュールデータを検出した場合には（ステップＳ７のＹＥＳ）、制御部１１のデータ検索表示手段では、メモリ１２、表示ドライバ部１３を制御し、選択したスケジュールデータ及び該当するスケジュールデータの一覧表示画面が表示部１４に表示されるように、処理を実行する（ステップＳ８）。
【００５０】
一方、制御部１１の電話帳ファイル検索手段が、電話帳ファイル内に該当する個人情報データを検出できない場合には（ステップＳ５のＮＯ）、あるいは、制御部１１のデータ検索表示手段が、スケジュールファイルのスケジュールデータの中から、該当するスケジュールデータを検出できない場合には（ステップＳ７のＮＯ）、データ検索表示手段では、メモリ１２、表示ドライバ部１３を制御し、使用者が選択したスケジュールデータのみを表示部１４に表示させる（ステップＳ９）。その後、ステップＳ２へと戻り、使用者は、その他のスケジュールデータを選択し、表示部１４に表示させることができる。
【００５１】
次に、使用者が、終了アイコンに対応するキー操作部１５を押下すると（ステップＳ１０のＹＥＳ）、制御部１１は、携帯電話機１のスケジュールデータ閲覧画面を終了させる。一方、使用者が、終了アイコンに対応するキー操作部１５を押下しない場合には（ステップＳ１０のＮＯ）、ステップＳ２へと戻り、使用者は、その他のスケジュールデータを選択し、表示部１４に表示させることができる。
【００５２】
次に、図５（Ａ）では、図４のステップＳ２における、スケジュールデータを表示する表示部１４を示している。本実施の形態では、図示したように、日程欄、分類欄、アラーム欄、画像欄、情報欄、内容欄等を有するが、例えば、情報欄に入力された個人情報データが、電話帳ファイルの個人情報データとの検索に用いられる。そして、上述したように、図５（Ａ）では、氏名データが入力されており、制御部１１の電話帳ファイル検索手段では、この氏名データに基づき、電話帳ファイルの個人情報データ内の氏名データとの検索を行う。また、このスケジュールデータの情報欄に電話番号データ、メールアドレスデータも入力することができ、その場合には、電話帳ファイルの個人情報データ内の電話番号データ、またはメールアドレスデータと検索が行われる。
【００５３】
一方、本実施の形態では、制御部１１のデータ検索表示手段では、電話帳ファイルの個人情報データとスケジュールデータの情報欄に入力された個人情報データとの検索を行う。上述したように、制御部１１のデータ検索手段では、例えば、電話帳ファイル内の氏名データ、電話番号データ、メールアドレスデータを用い、その中の少なくとも１つのデータが共通データである場合には、そのスケジュールデータを該当するデータとして検出する。
【００５４】
尚、本実施の形態では、図５（Ａ）に示す情報欄に入力された個人情報データのみが検索用の個人情報データとして扱われていたが、この場合に限定する必要はない。例えば、スケジュールデータの内容欄に入力された個人情報データを用いて、上述した検索が行われる場合でも良く、また、スケジュールデータの画像データを用いて上述した検索が行われる場合でも良い。つまり、スケジュールデータは、電話帳ファイル内の個人情報データとリンク付けられており、電話帳ファイル内に有するデータであれば、検索用データとして用いることができる。
【００５５】
次に、図５（Ｂ）では、図４のステップＳ８における、使用者が、選択表示させたスケジュールデータ及び関連するスケジュールデータの一覧表示を実行した表示部１４を示している。本実施の形態では、図示の如く、１〜１０番目までのスケジュールデータを一覧表示する画面であるが、１、３、７、１０番目のスケジュールデータが表示されている。図５（Ａ）に示すように、使用者は、３番目のスケジュールデータを選択し、関連するスケジュールデータの一覧表示処理を実行することを指示している。このとき、制御部１１のデータ検索表示手段では、１〜１０番目まででは、１、７、１０番目のスケジュールデータが、３番目のスケジュールデータで関連するデータとして検出し、表示部１４に一覧表示させる。
【００５６】
つまり、本実施の形態の携帯電話機１では、使用者は、簡易な操作により、使用者が選択したスケジュールデータと関連するスケジュールデータを検索することができ、更に、選択したスケジュールデータ及び関連するスケジュールデータの一覧表示処理を実行することができる。
【００５７】
尚、図５では、スケジュールデータを１０データ毎に区分して表示する場合について説明したが、この場合に限定する必要はない。例えば、使用者が選択したスケジュールデータと関連するスケジュールデータを、上記区分の制限に限定されることなく、連続して表示部１４に表示しても良い。
【００５８】
次に、図６は本発明の携帯電話機の電子メールデータ閲覧画面における所望の送信または受信メールデータと関連する送信または受信メールデータの一覧表示を行う動作を説明するためのフローチャートである。
【００５９】
図６に示す如く、本実施の形態では、使用者が、携帯電話機１の電子メールデータ閲覧画面を用いて所望の送信または受信メールデータを選択し、表示部に表示させる場合には、使用者はキー操作部１５を操作し電子メールデータ閲覧画面の表示を指示すると（ステップＳ１１）、制御部１１は表示ドライバ部１３を制御し、表示部１４に送信または受信メールデータの一覧表示画面を表示させる。そして、使用者が表示画面に従い、キー操作部１５の、例えば、十字キー１５５を操作し、画面上で所望の送信または受信メールデータを選択し、決定キーを押下すると、制御部１１は表示ドライバ部１３を制御し、表示部１４に選択したメールデータを表示させる（ステップＳ１２）。
【００６０】
次に、使用者が、表示部１４に表示されたメールデータを確認し、そのメールデータと関連するその他の送信及び受信メールデータとを共に一覧表示させる場合には、使用者はキー操作部１５を操作し、選択したメールデータと関連する送信及び受信メールデータの一覧表示を指示すると（ステップＳ１３のＹＥＳ）、制御部１１のデータ認識手段は、選択したメールデータのメールアドレスデータを認識する（ステップＳ１４）。そして、制御部１１の電話帳ファイル検索手段は、メモリ１２を制御し、認識したメールアドレスデータに基づき、電話帳ファイル内の個人情報データ内のメールアドレスデータを照合し、検索をする（ステップＳ１５）。
【００６１】
尚、使用者はキー操作部１５を操作し、選択したメールデータと関連する送信及び受信メールデータとの一覧表示を指示しない場合には（ステップＳ１３のＮＯ）、ステップＳ１２へと戻り、使用者は、その他の送信または受信メールデータを選択し、表示部１４に表示させることができる。
【００６２】
次に、制御部１１の電話帳ファイル検索手段が、電話帳ファイル内に該当するメールアドレスデータを検出した場合には（ステップＳ１５のＹＥＳ）、制御部１１のデータ検索表示手段では、電話帳ファイル内のメールアドレスデータに基づき、電子メールファイルの全ての送信及び受信メールデータを検索する（ステップＳ１６）。
【００６３】
次に、制御部１１のデータ検索表示手段が、電子メールファイルの送信及び受信メールデータの中から、該当する送信及び受信メールデータを検出した場合には（ステップＳ１７のＹＥＳ）、制御部１１のデータ検索表示手段では、メモリ１２、表示ドライバ部１３を制御し、選択したメールデータ及び該当する送信及び受信メールデータの一覧表示画面が表示部１４に表示されるように、処理を実行する（ステップＳ１８）。
【００６４】
一方、制御部１１の電話帳ファイル検索手段が、電話帳ファイル内に該当するメールアドレスデータを検出できない場合には（ステップＳ１５のＮＯ）、あるいは、制御部１１のデータ検索表示手段が、電子メールファイルの送信及び受信メールデータの中から、該当する送信及び受信メールデータを検出できない場合には（ステップＳ１７のＮＯ）、データ検索表示手段では、メモリ１２、表示ドライバ部１３を制御し、使用者が選択したメールデータのみを表示部１４に表示させる（ステップＳ１９）。その後、ステップＳ１２へと戻り、使用者は、その他の送信または受信メールデータを選択し、表示部１４に表示させることができる。
【００６５】
次に、使用者が、終了アイコンに対応するキー操作部１５を押下すると（ステップＳ２０のＹＥＳ）、制御部１１は、携帯電話機１の電子メールデータ閲覧画面を終了させる。一方、使用者が、終了アイコンに対応するキー操作部１５を押下しない場合には（ステップＳ２０のＮＯ）、ステップＳ１２へと戻り、使用者は、その他の送信または受信メールデータを選択し、表示部１４に表示させることができる。
【００６６】
上述したように、本実施の形態の携帯電話機１では、電子メールデータ閲覧画面においても、使用者は、簡易な操作により、使用者が選択したメールデータ及びその他の関連する送信または受信メールデータを検索し、一覧表示処理を実行することができる。
【００６７】
次に、図７は本発明の携帯電話機の電話履歴データ閲覧画面における所望の発信または着信履歴データと関連する発信または着信履歴データの一覧表示を行う動作を説明するためのフローチャートである。
【００６８】
図７に示す如く、本実施の形態では、使用者が、携帯電話機１の電話履歴データ閲覧画面を用いて所望の発信または着信履歴データを選択し、表示部に表示させる場合には、使用者はキー操作部１５を操作し電話履歴データ閲覧画面の表示を指示すると（ステップＳ２１）、制御部１１は表示ドライバ部１３を制御し、表示部１４に発信または着信履歴データの一覧表示画面を表示させる。そして、使用者が表示画面に従い、キー操作部１５の、例えば、十字キー１５５を操作し、画面上で所望の発信または着信履歴データを選択し、決定キーを押下すると、制御部１１は表示ドライバ部１３を制御し、表示部１４に選択した履歴データを表示させる（ステップＳ２２）。
【００６９】
次に、使用者が、表示部１４に表示された履歴データを確認し、その履歴データと関連するその他の発信及び着信履歴データとを共に一覧表示させる場合には、使用者はキー操作部１５を操作し、選択した履歴データと関連する発信及び着信履歴データとの一覧表示を指示すると（ステップＳ２３のＹＥＳ）、制御部１１のデータ認識手段は、選択した履歴データの電話番号データを認識する（ステップＳ２４）。そして、制御部１１の電話帳ファイル検索手段は、メモリ１２を制御し、認識した電話番号データに基づき、電話帳ファイル内の個人情報データ内の電話番号データを照合し、検索をする（ステップＳ２５）。
【００７０】
尚、使用者はキー操作部１５を操作し、選択した履歴データと関連する発信または着信履歴データの一覧表示を指示しない場合には（ステップＳ２３のＮＯ）、ステップＳ２２へと戻り、使用者は、その他の発信または着信履歴データを選択し、表示部１４に表示させることができる。
【００７１】
次に、制御部１１の電話帳ファイル検索手段が、電話帳ファイル内に該当する電話番号データを検出した場合には（ステップＳ２５のＹＥＳ）、制御部１１のデータ検索表示手段では、電話帳ファイル内の電話番号データに基づき、電話履歴ファイルの全ての発信及び着信履歴データを検索する（ステップＳ２６）。
【００７２】
次に、制御部１１のデータ検索表示手段が、電話履歴ファイルの発信及び着信履歴データの中から、該当する発信及び着信履歴データを検出した場合には（ステップＳ２７のＹＥＳ）、制御部１１のデータ検索表示手段では、メモリ１２、表示ドライバ部１３を制御し、選択した履歴データ及び該当する発信及び着信履歴データの一覧表示画面が表示部１４に表示されるように、処理を実行する（ステップＳ２８）。
【００７３】
一方、制御部１１の電話帳ファイル検索手段が、電話帳ファイル内に該当する電話番号データを検出できない場合には（ステップＳ２５のＮＯ）、あるいは、制御部１１のデータ検索表示手段が、電話履歴ファイルの発信及び着信履歴データの中から、該当する発信及び着信履歴データを検出できない場合には（ステップＳ２７のＮＯ）、データ検索表示手段では、メモリ１２、表示ドライバ部１３を制御し、使用者が選択した履歴データのみを表示部１４に表示させる（ステップＳ２９）。その後、ステップＳ２２へと戻り、使用者は、その他の発信または着信履歴データを選択し、表示部１４に表示させることができる。
【００７４】
次に、使用者が、終了アイコンに対応するキー操作部１５を押下すると（ステップＳ３０のＹＥＳ）、制御部１１は、携帯電話機１の電子メールデータ閲覧画面を終了させる。一方、使用者が、終了アイコンに対応するキー操作部１５を押下しない場合には（ステップＳ３０のＮＯ）、ステップＳ２２へと戻り、使用者は、その他の発信または着信履歴データを選択し、表示部１４に表示させることができる。
【００７５】
上述したように、本実施の形態の携帯電話機１では、電話履歴データ閲覧画面においても、使用者は、簡易な操作により、使用者が選択した履歴データ及びその他の関連する発信または着信履歴データを検索し、一覧表示処理を実行することができる。
【００７６】
尚、本実施の形態では、使用者が、スケジュール機能のスケジュールデータ、電子メール機能の送信データ、電子メール機能の受信データ、電話機能の発信履歴データ、及び電話機能の着信履歴データ等のアプリケーションデータを選択し、関連するアプリケーションデータの一覧表示を行うことを指示する。そして、選択したアプリケーションデータに含まれる個人情報データを含む電話帳ファイルと該当する個人情報データを有する、関連するアプリケーションデータの一覧表示を行わせるようにしたが、この場合に限定する必要はない。例えば、表示部に電話帳ファイルの一覧を表示させ、その一覧画面において所望の電話帳ファイルに対して一覧表示を行うことを指示することで、その電話帳ファイルに関連するアプリケーションデータ等の表示規制を行わせるようにしても良い。
【００７７】
更に、本実施の形態では、使用者が、表示部にスケジュールデータを表示させている際に一覧表示を行ったときに、当該スケジュールデータ内の個人情報データと一致する個人情報データを含むその他のスケジュールデータの一覧表示を行っている。また、使用者が、表示部に送信または受信メールデータを表示させている際に一覧表示を行ったときに、当該送信または受信メールデータ内の個人情報データと一致する個人情報データを含むその他の送信または受信メールデータの一覧表示を行っている。また、使用者が、表示部に電話履歴データを表示させている際に一覧表示を行ったときに、当該電話履歴データ内の個人情報データと一致する個人情報データを含むその他の電話履歴データの一覧表示を行っている。しかしながら、本実施の形態では、これらの場合に限定する必要はなく、例えば、表示部にスケジュールデータを表示中に、使用者が一覧表示を行ったときに、当該スケジュールデータ内の個人情報データと一致する個人情報データを含むその他のスケジュールデータのみならず、送信または受信メールデータ及び電話履歴データの一覧表示を行うようにしても良い。また、送信または受信メールデータに一覧表示を行う場合、電話履歴データに一覧表示を行う場合も同様である。
【００７８】
更に、本実施の形態では、１つのレコードに含まれる個人情報データとして、同じ種類のデータ（例えば、電話番号データやメールアドレスデータ）をそれぞれ１つずつ記憶するようにしたが、この場合に限定する必要はない。例えば、２つの電話番号データ（例えば、携帯電話番号データと固定電話番号データ）を記憶できるようにし、２つの電話番号データに対する電話履歴データの一覧表示を行うようにしても良い。
【００７９】
最後に、上述した説明では、電話帳ファイルの個人情報データの場合について説明したが、本実施の形態では、個人情報データも含み、使用者の会社、お店の名前、電話番号等の個別情報データに対して、同様に適用することができる。その他、本発明の要旨を逸脱しない範囲で、種々の変更が可能である。
【００８０】
【発明の効果】
上述したように、第１に、本発明の携帯電話機器では、使用者が、表示部に、例えば、一覧表示することを望むスケジュールデータ、電子メールデータ、電話履歴データに対し、一覧表示を実行することができる。そのことで、本発明の携帯電話機器では、使用者が、所望の第３者とのスケジュール状況を確認することを望む場合には、簡易な操作で、所望の第３者とのスケジュールデータを一覧表示させることができる。その結果、使用者は、全てのスケジュールデータから個々に検索することなく、所望のスケジュールデータのみを閲覧することができる。
【００８１】
第２に、本発明の携帯電話機器では、スケジュールデータ、電子メールデータ、電話履歴データ等のデータと電話帳ファイルの個別情報データを有するデータとをリンクさせている。そのことで、本発明の携帯電話機器では、使用者の所望のスケジュールデータ、電子メールデータ、電話履歴データ等のアプリケーションデータの一覧表示処理を実行する際に、当該アプリケーションデータと関連するその他のアプリケーションデータを、一覧表示することができる。その結果、使用者は、本発明の携帯電話機器内に、既に、保存されているスケジュールデータ、電子メールデータ、電話履歴データ等の個々のアプリケーションデータに対して、個別に検索することなく、簡易に、一覧表示を実行することができる。
【図面の簡単な説明】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の電気的構成を説明するための概略機能ブロック図である。
【図３】同携帯電話機のメモリに保存されている電話帳ファイル内の情報データの構成を説明するための図である。
【図４】同携帯電話機器の所望のスケジュールデータと関連するスケジュールデータとの一覧表示を行う動作を説明するためのフローチャートである。
【図５】同携帯電話機器の関連するスケジュールデータの一覧表示を行う表示画面を説明するための図である。
【図６】同携帯電話機器の所望の電子メールデータと関連する電子メールデータとの一覧表示を行う動作を説明するためのフローチャートである。
【図７】同携帯電話機器の所望の電話履歴データと関連する電話履歴データの一覧表示を行う動作を説明するためのフローチャートである。
【符号の説明】
１          携帯電話機
２          スピーカー
３          マイク
４          第２表示部
５          撮像部
６          背面キー
１１          制御部
１２          メモリ
１３          表示ドライバ部
１４          表示部
１５          キー操作部
１６          バックライト
１７          アンテナ
１８          無線部
１９          通信制御部
【図１】
2005027063.tif 000003
【図２】
2005027063.tif 000004
【図３】
2005027063.tif 000005
【図４】
2005027063.tif 000006
【図５】
2005027063.tif 000007
【図６】
2005027063.tif 000008
【図７】
2005027063.tif 000009